(57)【要約】新無線（ＮＲ）における時間及び周波数トラッキング用参照信号（ＴＲＳ）の使用のためのシステム、方法、装置及びコンピュータプログラム製品が提供される。方法の１つは、トラッキング用参照信号（ＴＲＳ）の目的のために使用されるチャネル状態情報参照信号（ＣＳＩ−ＲＳ）リソース又は同期信号ブロック（ＳＳＢ）リソースを、ユーザ機器に示すチャネル状態情報参照信号（ＣＳＩ−ＲＳ）リソースセット定義の一部として情報要素を定義することを含み得る。そして方法は、トラッキング用参照信号（ＴＲＳ）の特定動作を対象とする１以上のチャネル状態情報参照信号（ＣＳＩ−ＲＳ）リソースセット内のチャネル状態情報参照信号（ＣＳＩ−ＲＳ）リソースを認識させるように、ユーザ機器に情報要素を送信することを含み得る。【選択図】図５ａ
2021503770.tif 000002
【特許請求の範囲】
【請求項１】
トラッキング用参照信号ＴＲＳの目的のために使用される少なくとも１つのチャネル状態情報参照信号ＣＳＩ−ＲＳリソース及び／又は同期信号ブロックＳＳＢリソースをユーザ機器に示すように、ＣＳＩ−ＲＳリソース又はリソースセット定義の一部として情報要素を定義するステップと、
ＴＲＳの特定動作を対象とする１以上のＣＳＩ−ＲＳリソースセット内の前記少なくとも１つのＣＳＩ−ＲＳリソースを認識させるように、前記ユーザ機器に前記情報要素を送信するステップと
を備える方法。
【請求項２】
周期的なＣＳＩ−ＲＳリソースが前記ＣＳＩ−ＲＳリソースセットのうちの１つに含まれ、非周期的なＣＳＩ−ＲＳリソースが前記ＣＳＩ−ＲＳリソースセットのうちの他の１つに含まれる、請求項１に記載の方法。
【請求項３】
前記定義するステップが、ＲＲＣシグナリングを介してＴＲＳ情報パラメータを定義することを備える、請求項１又は２に記載の方法。
【請求項４】
前記ＴＲＳ情報パラメータが、ＴＲＳの目的のために前記少なくとも１つのＣＳＩ−ＲＳリソースに関連付けられたブール値情報要素を含む第１の要素、ＣＳＩ−ＲＳリソースのチャネル状態情報セット識別子若しくはＳＳＢリソースインジケータを含む第２の要素、又は前記少なくとも１つのＣＳＩ−ＲＳ若しくは同期信号ブロックリソースに関連付けられた少なくとも１つのＣＳＩ−ＲＳリソース識別子を含む第３の要素のうちの少なくとも１つを備える、請求項３に記載の方法。
【請求項５】
微細な時間−周波数ＴＲＳのための送信フォーマットとして使用されるＣＳＩ−ＲＳリソースセット又はリソースの、ＳＳＢリソースあり又はなしでの異なる組合せを定義するステップと、
送信フォーマットとしての使用のために前記異なる組合せで前記ユーザ機器を構成するステップと
をさらに備える請求項１から４のいずれか一項に記載の方法。
【請求項６】
少なくとも１つのプロセッサと、
コンピュータプログラムコードを備える少なくとも１つのメモリと
を備える装置であって、
前記少なくとも１つのメモリ及びコンピュータプログラムコードは、前記少なくとも１つのプロセッサによって前記装置に少なくとも、
チャネル状態情報参照信号ＣＳＩ−ＲＳリソース又はリソースセット定義の一部として情報要素を定義させて、トラッキング用参照信号ＴＲＳの目的のために使用される少なくとも１つの前記ＣＳＩ−ＲＳリソース及び／又は同期信号ブロックＳＳＢリソースをユーザ機器に示し、
前記ユーザ機器に前記情報要素を送信して、ＴＲＳの特定動作を対象とする１以上のＣＳＩ−ＲＳリソースセット内の前記少なくとも１つのＣＳＩ−ＲＳリソースを認識させるように構成された、装置。
【請求項７】
周期的なＣＳＩ−ＲＳリソースが前記ＣＳＩ−ＲＳリソースセットのうちの１つに含まれ、非周期的なＣＳＩ−ＲＳリソースが前記ＣＳＩ−ＲＳリソースセットのうちの他の１つに含まれる、請求項６に記載の装置。
【請求項８】
前記情報要素を定義する場合に、前記少なくとも１つのメモリ及びコンピュータプログラムコードが、前記少なくとも１つのプロセッサによって前記装置に少なくとも、ＲＲＣシグナリングを介してＴＲＳ情報パラメータを定義させるように構成された、請求項６又は７に記載の装置。
【請求項９】
前記ＴＲＳ情報パラメータが、ＴＲＳの目的のために前記少なくとも１つのＣＳＩ−ＲＳリソースに関連付けられたブール値情報要素を含む第１の要素、ＣＳＩ−ＲＳリソースのチャネル状態情報セット識別子若しくはＳＳＢリソースインジケータを含む第２の要素、又は前記少なくとも１つのＣＳＩ−ＲＳ若しくは同期信号ブロックリソースに関連付けられた少なくとも１つのＣＳＩ−ＲＳリソース識別子を含む第３の要素のうちの少なくとも１つを備える、請求項８に記載の装置。
【請求項１０】
前記少なくとも１つのメモリ及びコンピュータプログラムコードが、前記少なくとも１つのプロセッサによって前記装置に少なくとも、
微細な時間−周波数ＴＲＳのための送信フォーマットとして使用されるＣＳＩ−ＲＳリソースセット又はリソースの、ＳＳＢリソースあり又はなしでの異なる組合せを定義させ、
送信フォーマットとしての使用のために前記異なる組合せで前記ユーザ機器を構成させるようにさらに構成された、請求項６から９のいずれか一項に記載の装置。
【請求項１１】
チャネル状態情報参照信号ＣＳＩ−ＲＳリソース又はリソースセット定義の一部として情報要素を定義して、トラッキング用参照信号ＴＲＳの目的のために使用される少なくとも１つのＣＳＩ−ＲＳリソース及び／又は同期信号ブロックＳＳＢリソースをユーザ機器に示すための手段と、
前記ユーザ機器に前記情報要素を送信して、ＴＲＳの特定動作を対象とする１以上のＣＳＩ−ＲＳリソースセット内の少なくとも１つの前記ＣＳＩ−ＲＳリソースを認識させるための手段と
を備える装置。
【請求項１２】
トラッキング用参照信号ＴＲＳの目的のために使用される１以上のチャネル状態情報参照信号ＣＳＩ−ＲＳリソースセット内の少なくとも１つのＣＳＩ−ＲＳリソース及び／又は同期信号ブロックＳＳＢリソースについて、ＣＳＩ−ＲＳリソース又はリソースセット定義の一部としてネットワークから表示を受信するステップ
を備える方法。
【請求項１３】
周期的なＣＳＩ−ＲＳリソースが前記ＣＳＩ−ＲＳリソースセットのうちの１つに含まれ、非周期的なＣＳＩ−ＲＳリソースが前記ＣＳＩ−ＲＳリソースセットのうちの他の１つに含まれる、請求項１２に記載の方法。
【請求項１４】
前記表示を受信するステップが、ＲＲＣシグナリングを介してＴＲＳ情報パラメータを受信することを備える、請求項１２又は１３に記載の方法。
【請求項１５】
前記ＴＲＳ情報パラメータが、ＴＲＳの目的のために前記少なくとも１つのＣＳＩ−ＲＳリソースに関連付けられたブール値情報要素を含む第１の要素、ＣＳＩ−ＲＳリソースのチャネル状態情報セット識別子若しくはＳＳＢリソースインジケータを含む第２の要素、又は前記少なくとも１つのＣＳＩ−ＲＳ若しくは同期信号ブロックリソースに関連付けられた少なくとも１つのＣＳＩ−ＲＳリソース識別子を含む第３の要素のうちの少なくとも１つを備える、請求項１４に記載の方法。
【請求項１６】
少なくとも１つのプロセッサと、
コンピュータプログラムコードを備える少なくとも１つのメモリと
を備える装置であって、前記少なくとも１つのメモリ及びコンピュータプログラムコードが、前記少なくとも１つのプロセッサによって前記装置に少なくとも、
トラッキング用参照信号ＴＲＳの目的のために使用される１以上のチャネル状態情報参照信号ＣＳＩ−ＲＳリソースセット内の少なくとも１つのＣＳＩ−ＲＳリソース及び／又は同期信号ブロックＳＳＢリソースについて、ＣＳＩ−ＲＳリソース又はリソースセット定義の一部としてネットワークから表示を受信させるように構成された、装置。
【請求項１７】
周期的なＣＳＩ−ＲＳリソースが前記ＣＳＩ−ＲＳリソースセットのうちの１つに含まれ、非周期的なＣＳＩ−ＲＳリソースが前記ＣＳＩ−ＲＳリソースセットのうちの他の１つに含まれる、請求項１６に記載の装置。
【請求項１８】
前記少なくとも１つのメモリ及びコンピュータプログラムコードが、前記表示を受信する場合に、前記少なくとも１つのプロセッサによって前記装置に少なくとも、ＲＲＣシグナリングを介してＴＲＳ情報パラメータを受信させるように構成された、請求項１６又は１７に記載の装置。
【請求項１９】
前記ＴＲＳ情報パラメータが、ＴＲＳの目的のために前記少なくとも１つのＣＳＩ−ＲＳリソースに関連付けられたブール値情報要素を含む第１の要素、ＣＳＩ−ＲＳリソースのチャネル状態情報セット識別子若しくはＳＳＢリソースインジケータを含む第２の要素、又は前記少なくとも１つのＣＳＩ−ＲＳ若しくは同期信号ブロックリソースに関連付けられた少なくとも１つのＣＳＩ−ＲＳリソース識別子を含む第３の要素のうちの少なくとも１つを備える、請求項１８に記載の装置。
【請求項２０】
トラッキング用参照信号ＴＲＳの目的のために使用される１以上のチャネル状態情報参照信号ＣＳＩ−ＲＳリソースセット内の少なくとも１つのＣＳＩ−ＲＳリソース及び／又は同期信号ブロックＳＳＢリソースについて、ＣＳＩ−ＲＳリソース又はリソースセット定義の一部としてネットワークから表示を受信するための手段
を備える装置。
【請求項２１】
請求項１から５又は１２から１５に記載の方法を実行するために、そこに記憶されたプログラム命令を備えるコンピュータ可読媒体。
【発明の詳細な説明】
【技術分野】
【０００１】
関連出願の相互参照
本出願は、２０１７年１１月１７日出願の米国仮特許出願第６２／５８７７０６号の優先権を主張する。この先に出願された出願内容が、その全体においてここに取り込まれる。
【背景技術】
【０００２】
本発明の実施形態は、概略として、それに限定されないが、ユニバーサル移動体通信システム（ＵＭＴＳ）地上無線アクセスネットワーク（ＵＴＲＡＮ）、ロングタームエボリューション（ＬＴＥ）エボルブドＵＴＲＡＮ（Ｅ−ＵＴＲＡＮ）、ＬＴＥアドバンスト（ＬＴＥ−Ａ）、ＬＴＥ−Ａ  Ｐｒｏ、及び／又は５Ｇアクセステクノロジー若しくは新無線（ＮＲ）アクセステクノロジーなどの、無線又はセルラ通信ネットワークに関する。ある実施形態は、概略として、例えば、他のダウンリンク信号によるユーザ機器（ＵＥ）のために構成されたトラッキング用参照信号（ＴＲＳ）の多重化などの３ＧＰＰ  ＮＲ物理層設計に関することであり得る。
【０００３】
ユニバーサル移動体通信システム（ＵＭＴＳ）地上無線アクセスネットワーク（ＵＴＲＡＮ）は、基地局又はＮｏｄｅＢ、及び例えば、無線ネットワーク制御装置（ＲＮＣ）を含む通信ネットワークのことをいう。ＵＴＲＡＮは、ユーザ機器（ＵＥ）とコアネットワークの間の接続性を可能とする。ＲＮＣは、１以上のＮｏｄｅＢに対する制御機能を提供する。ＲＮＣ及びその対応するＮｏｄｅＢは、無線ネットワークサブシステム（ＲＮＳ）と呼ばれる。Ｅ−ＵＴＲＡＮ（エボルブドＵＴＲＡＮ）の場合には、エアインターフェース設計、プロトコルアーキテクチャ及びマルチプルアクセス原理がＵＴＲＡＮのものと比べて新しく、ＲＮＣは存在せず、無線アクセス機能が、１つのエボルブドＮｏｄｅＢ（ｅＮｏｄｅＢ又はｅＮＢ）又は多数のｅＮＢによって提供される。複数のｅＮＢは、例えば、協調マルチポイント送信（ＣｏＭＰ）の場合及びデュアルコネクティビティ（ＤＣ）において単一のＵＥ接続に関与する。
【０００４】
効率及びサービスを向上させたロングタームエボリューション（ＬＴＥ）又はＥ−ＵＴＲＡＮは、旧世代と比べて、コストの低下を与え、新たなスペクトル機会を提供する。特に、ＬＴＥは、少なくとも例えば、キャリア当たり７５メガバイト毎秒（Ｍｂｐｓ）のアップリンクピーク速度、及び少なくとも例えば、キャリア当たり３００Ｍｂｐｓのダウンリンクピーク速度を提供する３ＧＰＰ標準である。ＬＴＥは、２０ＭＨｚから１．４ＭＨｚまでのスケーラブルなキャリア帯域幅をサポートし、周波数分割複信（ＦＤＤ）及び時分割複信（ＴＤＤ）の双方をサポートする。キャリアアグリゲーション又は前記デュアルコネクティビティはさらに、同時に複数の成分キャリア上で動作し、それによりユーザ当たりのデータレートなどの性能を増加させることを可能とする。
【０００５】
上述のように、ＬＴＥはネットワークにおけるスペクトル効率も向上させ、キャリアが所与の帯域幅にわたってより多くのデータ及び音声サービスを提供可能とし得る。したがって、ＬＴＥは、大容量の音声サポートに加えて、高速のデータ及びメディアトランスポートに対するニーズを満たすように設計される。ＬＴＥの利点は、例えば、同一プラットフォームにおける高スループット、低レイテンシ、ＦＤＤ及びＴＤＤのサポート、向上したエンドユーザ体験、並びに結果として低ランニングコストをもたらす単純なアーキテクチャを含む。
【０００６】
３ＧＰＰ  ＬＴＥのさらなる特定のリリース（例えば、ＬＴＥ  Ｒｅｌ−１０、ＬＴＥ  Ｒｅｌ−１１）は、ここでは便宜上単にＬＴＥアドバンスト（ＬＴＥ−Ａ）といわれるインターナショナルモバイル通信アドバンスト（ＩＭＴ−Ａ）システムを対象とする。
【０００７】
ＬＴＥ−Ａは、３ＧＰＰ  ＬＴＥ無線アクセステクノロジーの拡張及び最適化に向けられる。ＬＴＥ−Ａの最終目標は、低コストでより高いデータレート及びより低いレイテンシによって大幅に強化されたサービスを提供することである。ＬＴＥ−Ａは、後方互換性を維持しつつ、ＩＭＴアドバンストに対して国際電気通信連合の無線（ＩＴＵ−Ｒ）要件を満たす一層最適化された無線システムである。ＬＴＥ  Ｒｅｌ−１０に導入されたＬＴＥ−Ａのキーとなる特徴のうちの１つはキャリアアグリゲーションであり、それは２以上のＬＴＥキャリアのアグリゲーションを通じてデータレートを増加させることができる。３ＧＰＰ  ＬＴＥの次のリリース（例えば、ＬＴＥ  Ｒｅｌ−１２、ＬＴＥ  Ｒｅｌ−１３、ＬＴＥ  Ｒｅｌ−１４、ＬＴＥ  Ｒｅｌ−１５）は、特化されたサービスのさらなる向上、より短縮されたレイテンシ、及び５Ｇにアプローチする要件を満たすことを目標とする。
【０００８】
第５世代（５Ｇ）すなわち新無線（ＮＲ）の無線システムを、次世代（ＮＧ）の無線システム及びネットワークアーキテクチャという。５Ｇはまた、ＩＭＴ−２０２０システムとして出現することも知られている。５Ｇは、１０〜２０Ｇｂｉｔ／ｓ以上のオーダーのビットレートを提供するものと推定される。５Ｇは、少なくともエンハンストモバイルブロードバンド（ｅＭＢＢ）及び超高信頼性の低レイテンシ通信（ＵＲＬＬＣ）をサポートすることになる。５Ｇはまた、ネットワーク拡張性を数十万の接続まで増加させることも期待される。５Ｇの信号テクノロジーは、より多くのカバレッジと、さらにスペクトル及びシグナリングの効率とについて予想される。５Ｇは、極限のブロードバンド及びウルトラロバストの低レイテンシ接続性並びに巨大なネットワーキングを届けて、モノのインターネット（ＩｏＴ）をサポートすることが期待される。ＩｏＴ及びマシンツーマシン（Ｍ２Ｍ）通信がより広範に普及すると、より低パワー、低データレート及びバッテリーの長寿命のニーズを満たすネットワークに対する必要性がますます増加することになる。５Ｇ又はＮＲでは、ＮｏｄｅＢ又はｅＮＢは、次世代又は５ＧのＮｏｄｅＢ（ｇＮＢ）といわれることもある。
【発明の概要】
【０００９】
一実施形態は方法に向けられ、それは、トラッキング用参照信号（ＴＲＳ）の目的のために使用されるチャネル状態情報参照信号（ＣＳＩ−ＲＳ）リソース又は同期信号ブロック（ＳＳＢ）リソースを、ユーザ機器に示すチャネル状態情報参照信号（ＣＳＩ−ＲＳ）リソースセット定義の一部として情報要素を定義するステップを含み得る。方法はまた、トラッキング用参照信号（ＴＲＳ）の特定動作を対象とする１以上のチャネル状態情報参照信号（ＣＳＩ−ＲＳ）リソースセット内のチャネル状態情報参照信号（ＣＳＩ−ＲＳ）リソースを認識させるように、ユーザ機器に情報要素を送信するステップも含み得る。
【００１０】
他の実施形態は装置に向けられ、それは、少なくとも１つのプロセッサ、及びコンピュータプログラムコードを備える少なくとも１つのメモリを含み得る。少なくとも１つのメモリ及びコンピュータプログラムコードは、少なくとも１つのプロセッサによって装置に少なくとも、トラッキング用参照信号（ＴＲＳ）の目的のために使用されるチャネル状態情報参照信号（ＣＳＩ−ＲＳ）リソース又は同期信号ブロック（ＳＳＢ）リソースをユーザ機器に示すチャネル状態情報参照信号（ＣＳＩ−ＲＳ）リソースセット定義の一部として情報要素を定義させ、ユーザ機器に情報要素を送信させて、トラッキング用参照信号（ＴＲＳ）の特定動作を対象とする１以上のチャネル状態情報参照信号（ＣＳＩ−ＲＳ）リソースセット内のチャネル状態情報参照信号（ＣＳＩ−ＲＳ）リソースを認識させるように構成される。
【００１１】
一実施形態において、定義するステップは、チャネル状態情報参照信号（ＣＳＩ−ＲＳ）リソースセットのうちの１つに周期的なチャネル状態情報参照信号（ＣＳＩ−ＲＳ）リソースを構成し、チャネル状態情報参照信号（ＣＳＩ−ＲＳ）リソースセットのうちの他の１つに非周期的なチャネル状態情報参照信号（ＣＳＩ−ＲＳ）リソースを構成することを含み得る。
【００１２】
特定の実施形態において、定義するステップは、ＲＲＣシグナリングを介してトラッキング用参照信号（ＴＲＳ）情報パラメータを定義することを含み得る。
【００１３】
ある実施形態において、トラッキング用参照信号（ＴＲＳ）情報パラメータは、トラッキング用参照信号（ＴＲＳ）の目的のためにチャネル状態情報参照信号（ＣＳＩ−ＲＳ）リソースに関連付けられたブール値情報要素を含む第１の要素、チャネル状態情報参照信号（ＣＳＩ−ＲＳ）リソースのチャネル状態情報セット識別子又は同期信号ブロック（ＳＳＢ）リソースインジケータを含む第２の要素、及びチャネル状態情報参照信号（ＣＳＩ−ＲＳ）又は同期信号ブロックリソースに関連付けられたチャネル状態情報参照信号（ＣＳＩ−ＲＳ）リソース識別子を含む第３の要素を備える。
【００１４】
特定の実施形態において、方法は、微細な時間周波数トラッキング用参照信号（ＴＲＳ）のための送信フォーマットとして使用されるチャネル状態情報参照信号（ＣＳＩ−ＲＳ）リソースセット又はリソースの、同期信号ブロック（ＳＳＢ）リソースあり又はなしでの異なる組合せを定義し、送信フォーマットとして使用するためにチャネル状態情報参照信号（ＣＳＩ−ＲＳ）リソースセット又はリソースの異なる組合せでユーザ機器を構成することをさらに含み得る。
【００１５】
他の実施形態は装置に向けられ、それは、トラッキング用参照信号（ＴＲＳ）の目的のために使用されるチャネル状態情報参照信号（ＣＳＩ−ＲＳ）リソース又は同期信号ブロック（ＳＳＢ）リソースをユーザ機器に示すチャネル状態情報参照信号（ＣＳＩ−ＲＳ）リソースセット定義の一部として情報要素を定義するための定義手段を含み得る。装置は、トラッキング用参照信号（ＴＲＳ）の特定動作を対象とする１以上のチャネル状態情報参照信号（ＣＳＩ−ＲＳ）リソースセット内のチャネル状態情報参照信号（ＣＳＩ−ＲＳ）リソースを認識させるように、ユーザ機器に情報要素を送信するための送信手段をさらに含み得る。
【００１６】
他の実施形態は方法に向けられ、それは、トラッキング用参照信号（ＴＲＳ）の目的のために使用される異なるチャネル状態情報参照信号（ＣＳＩ−ＲＳ）リソース又は同期信号ブロック（ＳＳＢ）リソースのうちの少なくとも１つについて、チャネル状態情報参照信号（ＣＳＩ−ＲＳ）リソース又はリソースセット定義の一部としてネットワークから表示を受信することを含み得る。
【００１７】
他の実施形態は装置に向けられ、それは、少なくとも１つのプロセッサ、及びコンピュータプログラムコードを備える少なくとも１つのメモリを含み得る。少なくとも１つのメモリ及びコンピュータプログラムコードは、少なくとも１つのプロセッサによって装置に少なくとも、トラッキング用参照信号（ＴＲＳ）の目的のために使用される異なるチャネル状態情報参照信号（ＣＳＩ−ＲＳ）リソース又は同期信号ブロック（ＳＳＢ）リソースのうちの少なくとも１つについて、チャネル状態情報参照信号（ＣＳＩ−ＲＳ）リソース又はリソースセット定義の一部としてネットワークから表示を受信させるように構成される。
【００１８】
特定の実施形態において、表示の受信は、１以上の情報要素を定義するトラッキング用参照信号（ＴＲＳ）情報パラメータを受信することを備える。
【００１９】
ある実施形態において、周期的なチャネル状態情報参照信号（ＣＳＩ−ＲＳ）リソースはチャネル状態情報参照信号（ＣＳＩ−ＲＳ）リソースセットの１つに含まれ、非周期的なチャネル状態情報参照信号（ＣＳＩ−ＲＳ）リソースはチャネル状態情報参照信号（ＣＳＩ−ＲＳ）リソースセットの他の１つに含まれる。
【００２０】
特定の実施形態において、トラッキング用参照信号（ＴＲＳ）情報パラメータは、トラッキング用参照信号（ＴＲＳ）の目的のためにチャネル状態情報参照信号（ＣＳＩ−ＲＳ）リソースに関連付けられたブール値情報要素を含む第１の要素、チャネル状態情報参照信号（ＣＳＩ−ＲＳ）リソースのチャネル状態情報セット識別子又は同期信号ブロック（ＳＳＢ）リソースインジケータを含む第２の要素、及びチャネル状態情報参照信号（ＣＳＩ−ＲＳ）又は同期信号ブロックリソースに関連付けられたチャネル状態情報参照信号（ＣＳＩ−ＲＳ）リソース識別子を含む第３の要素を備える。
【００２１】
他の実施形態は、トラッキング用参照信号（ＴＲＳ）の目的のために使用される異なるチャネル状態情報参照信号（ＣＳＩ−ＲＳ）リソース又は同期信号ブロック（ＳＳＢ）リソースのうちの少なくとも１つについて、チャネル状態情報参照信号（ＣＳＩ−ＲＳ）リソース又はリソースセット定義の一部としてネットワークから表示を受信するための受信手段を含み得る装置に向けられる。
【００２２】
本発明を理解する目的のために、添付の図面に対して参照がなされるべきである。
【図面の簡単な説明】
【００２３】
【図１】図１は、実施形態による、ＴＲＳ機能のために周期的に送信されるダウンリンクＰ１ビームマネジメントＣＳＩ−ＲＳリソースの利用の例示の図を示す。
【図２】図２は、実施形態による、ＴＲＳ機能のために周期的に送信されるダウンリンクＰ１ビームマネジメントＣＳＩ−ＲＳ及び非周期的（ＡＰ）ＣＳＩ−ＲＳリソースの１−セットに対して別個に構成されるリソースの利用の例示の図を示す。
【図３】図３は、実施形態による、周期的に送信されるＳＳＢ、及びＴＲＳ機能のために１ＡＰ  ＣＳＩ−ＲＳリソースに対して別個に構成されるリソースと同様に１ＡＰ  ＣＳＩ−ＲＳリソースに対して別個に構成されるリソースの活用の例示の図を示す。
【図４】図４ａは、一実施形態による装置のブロック図を示す。図４ｂは、他の実施形態による装置のブロック図を示す。
【図５ａ】図５ａは、実施形態による方法の例示のフロー図を示す。
【図５ｂ】図５ｂは、他の実施形態による方法の例示のフロー図を示す。
【発明を実施するための形態】
【００２４】
ここで概略として説明し図面に示すように、本発明の構成要素は、広範な様々な構成で配置及び設計され得ることが容易に理解されることになる。したがって、添付の図面に示し以下で説明するように、新無線（ＮＲ）における微細な時間及び周波数トラッキングのためのトラッキング用参照信号（ＴＲＳ）の利用に関するシステム、方法、装置及びコンピュータプログラム製品の実施形態の以下の詳細な説明は、本発明の範囲を限定する意図はなく、本発明の選択された実施形態を示す。
【００２５】
この明細書の全体を通じて説明する本発明の構成、構造又は特徴は、１以上の実施形態において任意の適切な形態で組み合わされてもよい。例えば、この明細書の全体を通じて、語句「特定の実施形態」、「ある実施形態」又は他の同様の言語は、実施形態と関連して説明する特定の構成、構造又は特徴が本発明の少なくとも１つの実施形態に含まれ得ることをいう。したがって、この明細書の全体を通じて、語句「特定の実施形態における」、「ある実施形態における」、「他の実施形態における」又は他の同様の言語は、必ずしもすべてが実施形態の同じ群のことをいう必要はなく、説明する構成、構造又は特徴は、１以上の実施形態において任意の適切な形態で組み合わされてもよい。
【００２６】
その上、所望により、以下で説明する異なる機能又はステップは、異なる順序で及び／又は相互に同時に実行され得る。またさらに、所望により、説明する機能又はステップの１以上は、選択的であってもよいし、組み合わされてもよい。このように、以下の説明は、本発明の原理、教示及び実施形態の単なる例示として捉えられ、その限定で捉えられるべきではない。
【００２７】
ある実施形態は、例えば、３ＧＰＰ  Ｒｅｌ−１５以降における３ＧＰＰの新無線（ＮＲ）の物理層設計に関する。例えば、実施形態は、他のダウンリンク信号によりＵＥに対して構成されたトラッキング用参照信号（ＴＲＳ）の多重化に向けられ得る。ＴＲＳは、サービングセルにおける微細な時間及び周波数同期トラッキングをＵＥが実行可能となるためにＵＥに対して構成される。またさらに、ＴＲＳは、チャネル推定量、例えば、周波数及び時間にわたる２Ｄウィナーフィルタの長さに対してパラメータ最適化をＵＥに実行可能とさせ得る。
【００２８】
特定の実施形態では、ＴＲＳは、以下のパラメータを有する１−ポートのチャネル状態情報参照信号（ＣＳＩ−ＲＳ）リソースとして構成され得るものであり、ＴＲＳバースト長は、２つの連続的スロット、各ＴＲＳスロットにおける２つのＴＲＳシンボルであり、ＴＲＳシンボルは、（例えば、ＲＲＣによって構成される）いくつかのオプションのうちの１つによる同じシンボル位置を有し得るものであり、オプション１において位置はシンボル４及び８であり（シンボルインデックスは０から開始する）、オプション２において位置はシンボル５及び９であり、オプション３において位置はシンボル６及び１０であってもよく、ＴＲＳ帯域幅は、ＴＲＳが構成されるＵＥの帯域幅パート（ＢＷＰ）及び５０個の物理リソースブロック（ＰＲＢ）の最小値（すなわち、ｍｉｎ（ＢＷＰ，５０ＰＲＢ））として定義され得るものであり、ＴＲＳバーストは、１０、２０、４０及び８０ｍｓなどの様々な周期性で構成され得るものである。
【００２９】
上記のテキストに基づいて、固定された異なるシンボルロケーションを有する１つ又は２つの異なるＴＲＳバースト構成がサポートされることになると考えられる。ただし、相対的に固定された構成の問題に起因して、参照信号オーバーヘッドが増加しやすくなることもある。
【００３０】
上記を考慮して、ＮＲシステムにおいて異なる参照信号に関連付けられる広大なシグナリングオーバーヘッドを回避するために、異なる参照信号及び／又はチャネルの多重化が増強されるべきである。このためのサポートを可能とするために、特定の実施形態は、ＣＳＩ−ＲＳリソースの使用のための構成シグナリングの観点で強化されたフレキシビリティを提供する。
【００３１】
より具体的には、一実施形態は、微細な周波数及び時間オフセットトラッキング、並びにＵＥ側におけるドップラースプレッド／シフト及び遅延スプレッド推定に対して、フレキシブルで微細な時間−周波数ＴＲＳリソース構成方法を提供する。特定の実施形態は、ＵＥ側におけるＴＲＳ機能をサポートする専用の又はそれを目的としたＣＳＩ−ＲＳリソース上でＵＥに示すように、既存の無線リソース制御（ＲＲＣ）シグナリングベースのＣＳＩ−ＲＳ構成フレームワークに強化をもたらす。またさらに、実施形態は、ＵＥ側におけるＴＲＳの目的のために、異なる参照信号タイプのリソースの併用利用を可能とする。リソース構成方法の実施形態の結果として、ＴＲＳに関連する参照信号オーバーヘッドが低減され得る。具体的には、６ＧＨｚ以上のビームドメイン動作のより広範囲の使用に起因して、ここで説明する実施形態によって大幅な参照信号オーバーヘッドの低下がもたらされる。
【００３２】
一実施形態において、情報要素はＣＳＩ−ＲＳリソース又はリソースセット定義の一部として定義されてもよく、その情報要素は、ＴＲＳの目的のために使用されるＣＳＩ−ＲＳリソースをＵＥに示し得る。例えば、実施形態によると、ネットワークは、以下の情報要素：｛要素１，要素２，要素３｝の１以上を定義する、後にテキストでＴＲＳ＿ＩＮＦＯといわれるＴＲＳ情報パラメータ、例えばＲＲＣシグナリングを介して構成し得る。実施形態において、要素１は、ＣＳＩ−ＲＳリソースに関連付けられたブール値情報要素、すなわち、ＴＲＳが｛‘ＯＮ／ＯＦＦ’｝を目的とするものとして定義され、要素２は、ＣＳＩ−ＲＳリソースＣＳＩ−セットＩＤ若しくは同期信号ブロック（ＳＳＢ）インデックス、又はこの特定のリソースセット／リソースで使用されているリソースインジケータとして定義され、要素３は、この特定のリソースＩＤ又はリソースセットＩＤで使用されるＣＳＩ−ＲＳリソースＩＤ、又はＣＳＩ−ＲＳ若しくはＳＳ−ブロックリソースに関連付けられたリソースインジケータとして定義され得る。アンテナポート（ＡＰ）及びソースリソースセット／リソースと、対象となるリソース／リソースセットと、そこでのリソースとの間のリソース要素構成は、相互に合わせて並べられるものと黙示的に考えられ得る。一実施形態によると、ＴＲＳ機能におけるＣＳＩ−ＲＳセット又はＣＳＩ−ＲＳリソースに関連付けられた情報要素に基づいて、ＵＥは、これらのリソースが異なるＣＳＩ−ＲＳリソースセット又はＳＳＢインデックス若しくはＳＳＢリソース内で他のＴＲＳの特定のリソースにどのようにリンクされるかの知識とともに、ＴＲＳの特定動作を対象とするＣＳＩ−ＲＳリソースセット内のＣＳＩ−ＲＳリソースを認識する。実施形態において、複数の異なる参照信号及び／又は低減されたシグナリングオーバーヘッドによるＴＲＳ機能に対する信号の併用使用を可能とするために、ＳＳＢリソースあり又はなしでのＣＳＩ−ＲＳリソースセット及びリソースの異なる組合せが、微細な時間−周波数ＴＲＳに対する送信フォーマットとして使用されるように定義され得る。例えば、特定の実施形態によると、微細な時間−周波数ＴＲＳに対して使用され得る送信フォーマットは、フォーマット０、フォーマット１、フォーマット２及びフォーマット３を含み得る。
【００３３】
フォーマット０は、基地局及び／又はＵＥ側における空間ドメインにおいてフィルタリングされるＣＳＩ−ＲＳリソース及び／又はＳＳＢリソースに関連付けられたリソースインジケータの特定のために、周期的／半永続的／非周期的に構成されたＤＬビームマネジメント（ＢＭ）手順の併用使用を含み得るものであり、それは手順１（Ｐ１）又は手順２（Ｐ２）といわれる。代替的に、フォーマット０はまた、基地局及びＵＥ側の双方又はそれら一方のいずれかにおける空間ドメインフィルタアライメントのコンテキストでも使用可能であり、それは手順３（Ｐ３）といわれる。ＤＬ  ＢＭ  Ｐ１〜Ｐ３手順を対象とする単一又は複数のＣＳＩ−ＲＳリソースセットには、上位層パラメータＣＳＩ−ＲＳ−ＲｅｓｏｕｒｃｅＲｅｐが‘ＯＮ／ＯＦＦ’としてセットされ得る。ＣＳＩ−ＲＳリソースセット内のＴＲＳリソースには、ＴＲＳ＿ＩＮＦＯが｛‘ＯＮ’，−，セット内の他のリソースＩＤ｝にセットされ得る。ここで、符号“−”は、この要素に対して値が定義されないことを意味する。同じ１−アンテナポートリソース要素パターンは、ＴＲＳの目的のためのリソースにより使用され得る。
【００３４】
フォーマット１は、周期的／半永続的に構成されたＤＬビームマネジメントＰ１／Ｐ２のＣＳＩ−ＲＳリソース、及び第１の追加の周期的／半永続的に構成された１−アンテナポートのＣＳＩ−ＲＳリソースの併用使用を含み得る。ＤＬ  ＢＭ  Ｐ１〜Ｐ２の手順を対象とする単一又は複数のＣＳＩ−ＲＳリソースセットには、上位層パラメータＣＳＩ−ＲＳ−ＲｅｓｏｕｒｃｅＲｅｐが‘ＯＮ／ＯＦＦ’としてセットされ得る。第１の追加の１−セットの非周期的（ＡＰ）ＣＳＩ−ＲＳリソースと同様、ＤＬ  ＢＭ  Ｐ１〜Ｐ２に対するＣＳＩ−ＲＳリソースセット内のＴＲＳリソースには、ＴＲＳ＿ＩＮＦＯが｛‘ＯＮ’，ＲｅｓｏｕｒｃｅセットＩＤ（同じ／異なる），セット内のリソースＩＤ｝にセットされ得る。同じ１−アンテナポートリソース要素パターンは、ＴＲＳの目的のためのリソースにより使用され得る。ＤＬビームマネジメントＰ１〜Ｐ３の手順に対して割り当てられたＣＳＩ−ＲＳリソース、及び別個の１−アンテナポートＣＳＩ−ＲＳリソースは、複数のＮ１個の連続するタイムスロットに位置するように構成され、割り当てられるＮ１個は、Ｐ１〜Ｐ３のＣＳＩ−ＲＳリソースがスロットｎにあり、１−アンテナポートのＣＳＩ−ＲＳリソースが連続するｎ＋Ｎ１個のスロットにあるように、ネットワークによって固定又は構成可能であり得る。これは、双方のリソースの構成された時間周期性が同じであるものとしている。
【００３５】
フォーマット２は、周期的／半永続的に構成されたＤＬビームマネジメントＰ１及び／又はＰ２のＣＳＩ−ＲＳリソース、並びに第１の追加の周期的／半永続的に構成された１−アンテナポートのＣＳＩ−ＲＳリソース及び第２の追加の周期的／半永続的に構成された１−アンテナポートのＣＳＩ−ＲＳリソースの併用使用を含み得る。ＤＬ  ＢＭ  Ｐ１〜Ｐ２の手順を対象とする単一又は複数のＣＳＩ−ＲＳリソースセットには、上位層パラメータＣＳＩ−ＲＳ−ＲｅｓｏｕｒｃｅＲｅｐが‘ＯＮ／ＯＦＦ’としてセットされ得る。ＤＬ  ＢＭ  Ｐ１〜Ｐ２に対するＣＳＩ−ＲＳリソースセット内のＴＲＳリソース、並びに第１及び第２の追加のＣＳＩ−ＲＳリソースには、ＴＲＳ＿ＩＮＦＯが｛‘ＯＮ’，ＲｅｓｏｕｒｃｅセットＩＤ（同じ／異なる），セット内のリソースＩＤ｝にセットされ得る。ＤＬ  ＢＭ  Ｐ１〜Ｐ２のＣＳＩ−ＲＳリソース及び第１の追加の１−セットの非周期的（ＡＰ）なＣＳＩ−ＲＳリソースの時間周期性が、同じ又は異なるように構成され得る。第２の追加のＣＳＩ−ＲＳの時間周期性は、ＤＬ  ＢＭ  Ｐ１〜Ｐ２のＣＳＩ−ＲＳリソースのものに対して同じであってもよいし、異なっていてもよい。同じ１−アンテナポートリソース要素パターンは、ＴＲＳの目的のためのリソースによって使用され得る。ＤＬビームマネジメントＰ１〜Ｐ３の手順に対して割り当てられたＣＳＩ−ＲＳリソース、及び第１の追加の１−アンテナポートのＣＳＩ−ＲＳリソースは、単一／複数のＮ１個の連続するタイムスロットに位置するように構成されてもよく、割り当てられるＮ１個は、Ｐ１〜Ｐ３のＣＳＩ−ＲＳリソースがスロットｎにあり、１−アンテナポートのＣＳＩ−ＲＳリソースが連続するｎ＋Ｎ１個のスロットにあるように、ネットワークによって固定又は構成可能であってもよい。第２の追加のＣＳＩ−ＲＳリソースは、単一／複数のＮ２個の連続するタイムスロットに位置するように構成され、割り当てられるＮ２個はネットワークによって固定又は構成可能であってもよい。
【００３６】
フォーマット３は、周期的に送信されるＳＳＢリソース及び／又はＰ２のＣＳＩ−ＲＳリソース、並びに第１の追加の周期的／半永続的に構成された１−アンテナポートのＣＳＩ−ＲＳリソース及び／又は第２の追加の周期的／半永続的に構成された１−アンテナポートのＣＳＩ−ＲＳリソースの併用使用を含み得る。第１の追加のＣＳＩ−ＲＳリソースに対するＴＲＳリソースには、ＴＲＳ＿ＩＮＦＯが｛‘ＯＮ’，ＳＳＢタイムインデックス／リソースインデックス，−｝にセットされてもよく、ここで符号“−”はこの要素に対して値が定義されないことを意味する。ＵＥは、所与のＳＳＢインデックス／リソースインジケータに基づいて、ＳＳＢ内のＤＭＲＳリソースの時間−周波数ロケーションを非明示的に認識し得る。第１の追加の１−ＡＰ  ＣＳＩ−ＲＳリソースの時間周期性は、ＳＳＢの周期性と同じになるように構成される。第２の追加のＣＳＩ−ＲＳの時間周期性は、第１の追加の１−ＡＰ  ＣＳＩ−ＲＳリソースのものに対して同じであってもよいし、異なっていてもよい。同じ１−アンテナポートリソース要素パターンは、ＴＲＳの目的のためのリソースにより使用され得る。第１の追加の１−アンテナポートＣＳＩ−ＲＳリソースは、所与のＳＳＢインデックスの後に単一／複数のＮ１個の連続するタイムスロットに位置するように構成されてもよく、割り当てられるＮ１個は、ＳＳＢリソースがスロットｎにあり、１−アンテナポートのＣＳＩ−ＲＳリソースが連続するｎ＋Ｎ１個のスロットにあるように、ネットワークによって固定又は構成可能であってもよい。第２の追加のＣＳＩ−ＲＳリソースは、単一／複数のＮ２個の連続するタイムスロットに位置するように構成されてもよく、割り当てられるＮ２個はネットワークによって固定又は構成可能であってもよい。
【００３７】
図１は、実施形態による、ＴＲＳ機能のために周期的に送信されるダウンリンク（ＤＬ）Ｐ１ビームマネジメントＣＳＩ−ＲＳリソースの利用の例示の図を示す。図１の例に示すように、２つの別個のＣＳＩ−ＲＳリソースセットは、ＲＲＣによってユーザに特異的に構成されてもよく、つまり、ＣＳＩ−ＲＳセット１及びＣＳＩ−ＲＳセット２である。またさらに、各ＣＳＩ−ＲＳリソースセットは、例えば、４つの別個のリソースで構成されてもよい。さらに、各リソースは、ＣＳＩ−ＲＳに関連付けられた単一又は複数のアンテナポートにマッピングされるものとしてもよい。ネットワークは、‘ＯＮ’となる上位層パラメータ、ＣＳＩ−ＲＳ−ＲｅｓｏｕｒｃｅＲｅｐによってＤＬ  Ｐ１／Ｐ２ビームマネジメント機能を構成し得る。この結果として、ｇＮＢの送信（Ｔｘ）ビーム方向／空間ドメインフィルタは、リソースセット内で相互に時間分割多重化されるリソースにわたって固定されて維持される。ＣＳＩ−ＲＳセット内のリソースの数は、時間内の反復Ｔｘビーム／空間ドメイン方向の数を定義する。ＲＲＣシグナリングによって、リソースセットに関連付けられたＮＲの上位層パラメータ、ＲｅｓｏｕｒｃｅＣｏｎｆｉｇＴｙｐｅは、周期的となるように構成され得る。双方のセットの時間周期性は、時間内／スロット単位で上位層パラメータ、ＣＳＩ−ＲＳ−ｔｉｍｅＣｏｎｆｉｇ、例えば｛５，１０，２０，４０，６０，８０，１６０，３２０，６４０｝によって構成され得る。実施形態により、ＴＲＳの目的のためにも構成されたＣＳＩ−ＲＳリソースをＵＥが利用可能となるように、ＣＳＩ−ＲＳリソース定義の一部として上位層の構成された情報要素が導入される。‘ＯＮ／ＯＦＦ’の値を有する上位層の構成されたＴＲＳ＿ＩＮＦＯパラメータは、ＵＥに対してＣＳＩ−ＲＳリソースがＴＲＳの目的の演算に用いられるべきかを示す。またさらに、この情報要素は、リソース又はセットについてＵＥに通知するようにセットＩＤ／ＳＳＢインデックス及びＣＳＩ−ＲＳリソースＩＤ／ＳＳＢリソースも含むことがあり、それに基づいてＵＥはＴＲＳ関連推定値を演算すべきである。リソースセット１内のリソース１及び３に対して、ＴＲＳ＿ＩＮＦＯは｛‘ＯＮ’，−，３｝及び｛‘ＯＮ’，−，１｝にそれぞれセットされ得る。リソースセット２内のリソース１及び３に対して、ＴＲＳ＿ＩＮＦＯは｛‘ＯＮ’，−，３｝及び｛‘ＯＮ’，−，１｝にそれぞれセットされ得る。またさらに、セット１及び２の双方において、リソース１及び３は、相互に空間的に疑似コロケーション（ＱＣＬ）され得る。再度、同じＱＣＬ関連が、ＣＳＩ−ＲＳセット２に対して適用され得る。各リソースに対するリソース要素構成は、物理リソースブロック当り特定のリソース要素密度、例えば、１，３，４，６を有する１−アンテナポート構成として構成され得る。
【００３８】
図１の例に示す上記の構成の結果として、残りの時間−周波数オフセット推定及びドップラーは、ＵＥ側においてＤＬ  Ｐ１ビームマネジメントの一部として実行可能である。これを可能とするために、各測定においてＰ１に対して制限スケジューリングする１つのシンボルＴＸビーム／空間ドメインフィルタが導入され得る。さらに、時間内のＴＲＳ送信周期性は、ＤＬ  ＢＭ  ＣＳＩ−ＲＳの時間周期性に合わせて並べられる必要がある。またさらに、微細な周波数オフセット推定ウインドウの幅は、ＮＲにおいてサポートされるＣＳＩ−ＲＳシンボルロケーションによって制限される。これらの制限にもかかわらず、プロポーザルは、別個のＸ＝２によるＴＲＳ送信の送信と比べてシグナリングオーバーヘッドを大幅に低下させることができる。なお、Ｐ３のＤＬビームに対する非周期的ＣＳＩ−ＲＳリソースの使用は、‘ＯＮ’にセットされたＣＳＩ−ＲＳ−ＲｅｓｏｕｒｃｅｓＲｅｐを有するＰ１／Ｐ３構成の特別なケースである。
【００３９】
図２は、実施形態による、ＴＲＳ機能のために周期的に送信されるダウンリンクＰ１ビームマネジメントＣＳＩ−ＲＳ（ＣＳＩ−ＲＳセット１）並びに１−ＡＰ  ＣＳＩ−ＲＳリソースに対して別個に構成されるリソース（ＣＳＩ−ＲＳセット２，３）及び１−ＡＰ  ＣＳＩ−ＲＳリソースに対して別個に構成されるリソース（ＣＳＩ−ＲＳセット４，５）の利用の例示の図を示す。図２の例では、そこにリソースを有するすべてのＣＳＩ−ＲＳリソースセットは、ＲＲＣによってユーザに特異的に構成され、つまり、ＣＳＩ−ＲＳセット１〜５となり得る。さらに、各リソースは、ＣＳＩ−ＲＳに関連付けられた単一又は複数のアンテナポートにマッピングされるものとしてもよい。ＲＲＣシグナリングによって、リソースセットに関連付けられたＮＲの上位層パラメータ、ＲｅｓｏｕｒｃｅＣｏｎｆｉｇＴｙｐｅは、周期的となるように構成され得る。セット２及び３の双方の時間周期性は、時間内／スロット単位でＣＳＩ−ＲＳセット１と同じになるように、上位層パラメータ、ＣＳＩ−ＲＳ−ｔｉｍｅＣｏｎｆｉｇ、例えば｛５，１０，２０，４０，６０，８０，１６０，３２０，６４０｝によって構成され得る。ＣＳＩ−ＲＳセット４及び５の時間周期性は、セット１、２及び３に対して時間が短縮されるよう構成され得る。ここで、ＴＲＳ＿ＩＮＦＯは、ＣＳＩ−ＲＳリソースセット１におけるリソース１及び３に対して｛ＯＮ，｛２，３｝，−｝にセットされ得る。ＴＲＳ＿ｉｎｆｏパラメータは、リソースセット２に対して｛ＯＮ，セット｛１，３｝，−｝にセットされ、セット３に対して｛ＯＮ，セット｛１，２｝，−｝にセットされ得る。またさらに、リソース１及び３は、リソースセット１において相互に空間的にＱＣＬされ得る。さらに、セット２及び３の双方においてリソース１は、リソースセット１内のリソース１及び３で空間的にＱＣＬされ得る。その上、セット４及び５の双方においてリソース１は、相互にＱＣＬされ得る。各リソースに対するリソース要素構成は、物理リソースブロック当り特定のリソース要素密度、例えば、１，２，３，４，６を有する１−アンテナポート構成として構成され得る。
【００４０】
図２の例に示す上記の構成の結果として、残りの時間−周波数オフセット推定及びドップラースプレッド／シフト推定は、ＵＥ側においてＰ１のＢＭ  ＣＳＩ−ＲＳリソース、すなわちセット１、及び別個に構成されたリソース、すなわちセット２及び３に基づいて実行可能である。さらに、ＣＳＩ−ＲＳリソースにおける遅延スプレッド推定を実行する代わりに、ＵＥ側における遅延スプレッド推定が、物理共有データチャネル送信（ＰＤＳＣＨ）に関連付けられたＤＭＲＳリソース要素に基づいて実行可能である。ＤＭＲＳベースの遅延スプレッド推定は、ＴＲＳベースのものに対してより正確である。さらに、ＣＳＩ−ＲＳセット４，５の時間周期性は、ＣＳＩ−ＲＳセット１及び２に対して短縮されるように構成され得る。この結果として、増強された時間及び周波数オフセットトラッキング並びにドップラースプレッド／シフト推定は、低下された参照信号オーバーヘッドにより可能とされ得る。
【００４１】
図３は、実施形態による、ＴＲＳ機能のために周期的に送信されるＳＳＢ、並びに１−ＡＰ  ＣＳＩ−ＲＳリソースに対して別個に構成されるリソース（ＣＳＩ−ＲＳセット１，２）及び１−ＡＰ  ＣＳＩ−ＲＳリソースに対して別個に構成されるリソース（ＣＳＩ−ＲＳセット３，４）の活用の例示の図を示す。図３の例では、そこにリソースを有するすべてのＣＳＩ−ＲＳリソースセットは、ＲＲＣによってユーザに特異的に構成され、つまり、ＣＳＩ−ＲＳセット１〜４となり得る。さらに、各リソースは、ＣＳＩ−ＲＳに関連付けられた単一又は複数のアンテナポートにマッピングされるものとしてもよい。ＲＲＣシグナリングによって、ＣＳＩリソースセット１、２、３及び４に関連付けられたＮＲの上位層パラメータ、ＲｅｓｏｕｒｃｅＣｏｎｆｉｇＴｙｐｅは、周期的となるように構成され得る。セット１の時間周期性は、ＳＳＢの時間周期性に合わせて並べられるように、上位層パラメータ、ＣＳＩ−ＲＳ−ｔｉｍｅＣｏｎｆｉｇによって構成され得る。ここで、ＴＲＳ＿ＩＮＦＯは、ＣＳＩ−ＲＳリソースセット１及び２の双方におけるリソース１に対して｛ＯＮ，ＳＳＢ８，−｝にセットされる。またさらに、セット１及び２のＣＳＩ−ＲＳリソースは、ＳＳＢによるＰＢＣＨに関連付けられたＤＭＲＳリソースで空間的にＱＣＬされ得る。さらに、リソース１及び１は、リソースセット１及び２にわたって相互に空間的にＱＣＬされ得る。その上、セット２及び３の双方においてリソース１は、相互に空間的にＱＣＬされ得る。その上、セット３及び４の双方においてリソース１は、相互にＱＣＬされ得る。各リソースに対するリソース要素構成は、物理リソースブロック当り特定のリソース要素密度、例えば、１，２，３，４，６を有する１−アンテナポート構成として構成され得る。
【００４２】
図３に示す上記の構成の結果として、残りの時間−周波数オフセット推定及びドップラースプレッド／シフト推定は、ＵＥ側においてＳＳＢリソース並びにＣＳＩ−ＲＳセット１及び２に基づいて実行可能である。さらに、ＣＳＩ−ＲＳリソースにおける遅延スプレッド推定を実行する代わりに、ＵＥ側における遅延スプレッド推定が、物理共有データチャネル送信（ＰＤＳＣＨ）に関連付けられたＤＭＲＳリソース要素に基づいて実行され得る。さらに、ＣＳＩ−ＲＳセット３，４の時間周期性は、ＣＳＩ−ＲＳセット１及び２に対して短くなるように構成される。この結果として、増強された時間及び周波数オフセットトラッキング並びにドップラースプレッド／シフト推定は、低下した参照信号オーバーヘッドによって達成され得る。
【００４３】
図４ａは、実施形態による装置１０の例を示す。実施形態において、装置１０は、そのようなネットワークをサービングする通信ネットワークにおけるノード、ホスト又はサーバであり得る。例えば、装置１０は、ＧＳＭネットワーク、ＬＴＥネットワーク、５Ｇ又はＮＲなどの無線アクセスに関連付けられた基地局、ＮｏｄｅＢ、エボルブドＮｏｄｅＢ（ｅＮＢ）、５Ｇ  ＮｏｄｅＢ若しくはアクセスポイント、次世代ＮｏｄｅＢ（ＮＧ−ＮＢ又はｇＮＢ）、ＷＬＡＮアクセスポイント、モビリティマネジメントエンティティ（ＭＭＥ）又はサブスクリプションサーバであり得る。
【００４４】
装置１０は、サーバ及び無線ノードが無線経路を介して若しくは有線接続を介して相互に通信するスタンドアロンの装置であり得る、又はそれらが有線接続を介して通信する同じエンティティに位置し得る分散コンピューティングシステムとしてのエッジクラウドサーバで構成され得ることが分かるはずである。なお当業者であれば、装置１０が、図４ａに不図示の構成要素又は構成を含み得ることを理解するはずである。
【００４５】
図４ａに示すように、装置１０は、情報を処理し、命令及び動作を実行するためのプロセッサ１２を含み得る。プロセッサ１２は、任意のタイプの一般的又は特定用途のプロセッサであり得る。実際に、プロセッサ１２は、例として、汎用性のコンピュータ、特殊用途のコンピュータ、マイクロプロセッサ、デジタルシグナルプロセッサ（ＤＳＰ）、フィールドプログラマブルゲートアレイ（ＦＰＧＡ）、特定用途向け集積回路（ＡＳＩＣ）及びマルチコアプロセッサアーキテクチャによるプロセッサのうちの１以上を含み得る。図４ａには単一のプロセッサ１２を示すが、他の実施形態により複数のプロセッサが利用されてもよい。例えば、特定の実施形態では、装置１０は、マルチプロセッシングをサポートし得るマルチプロセッサシステムを形成することができる２以上のプロセッサを含み得る（すなわち、この場合には、プロセッサ１２がマルチプロセッサを示す）ことが理解されるべきである。特定の実施形態において、マルチプロセッサシステムは、（例えば、コンピュータクラスタを形成するのに）強く結合されてもよいし弱く結合されてもよい。
【００４６】
プロセッサ１２は、例えば、アンテナゲイン／位相パラメータのプリコーディング、通信メッセージを形成する個々のビットの符号化及び復号化、情報のフォーマット化、並びに通信リソースの管理に関する処理を含む装置１０の全体制御を含み得る装置１０の動作に関連付けられた機能を実行することができる。
【００４７】
装置１０は（内部又は外部の）メモリ１４をさらに含み又はそれに結合されてもよく、それは情報、及びプロセッサ１２によって実行され得る命令を記憶するためにプロセッサ１２に結合され得る。メモリ１４は、１以上のメモリであり、ローカルアプリケーション環境に適した任意のタイプのものであってもよく、半導体によるメモリデバイス、磁気メモリデバイス及びシステム、光メモリデバイス及びシステム、固定メモリ並びに取外し可能メモリなどの、任意の適切な揮発性又は不揮発性データストレージテクノロジーを用いて実施され得る。例えば、メモリ１４は、ランダムアクセスメモリ（ＲＡＭ）、読出し専用メモリ（ＲＯＭ）、磁気若しくは光ディスクなどのスタティックストレージ、ハードディスクドライブ（ＨＤＤ）又は他の任意のタイプの非一時的機械若しくはコンピュータ可読媒体の任意の組合せで構成可能である。メモリ１４に記憶された命令は、プロセッサ１２によって実行された場合に、装置１０がここで説明するようにタスクを実行可能とするプログラム命令又はコンピュータプログラムコードを含み得る。
【００４８】
実施形態において、装置１０は、光ディスク、ＵＳＢドライブ、フラッシュドライブ又は他の任意の記憶媒体などの、外部のコンピュータ可読記憶媒体を受け入れ及び読み出すように構成された（内部又は外部の）ドライブ又はポートをさらに含み又はそれに結合され得る。例えば、外部のコンピュータ可読記憶媒体は、プロセッサ１２及び／又は装置１０による実行のためのコンピュータプログラム又はソフトウェアを記憶し得る。
【００４９】
ある実施形態において、装置１０はまた、信号及び／又はデータを装置１０と送信及び受信するために、１以上のアンテナ１５も含み又はそれに結合され得る。装置１０は、情報を送信及び受信するように構成された送受信機１８をさらに含み又はそれに結合され得る。送受信機１８は、例えば、アンテナ１５に結合され得る複数の無線インターフェースを含み得る。無線インターフェースは、ＧＳＭ、ＮＢ−ＩｏＴ、ＬＴＥ、５Ｇ、ＷＬＡＮ、Ｂｌｕｅｔｏｏｔｈ、ＢＴ−ＬＥ、ＮＦＣ、無線ＩＤタグ（ＲＦＩＤ）、超広帯域無線（ＵＷＢ）及びマルチファイアなどのうちの１以上を含む、複数の無線アクセステクノロジーに対応し得る。無線インターフェースは、フィルタ、コンバータ（例えば、デジタル−アナログ変換器など）、マッパー及び高速フーリエ変換（ＦＦＴ）モジュールなどのような構成要素を含み、１以上のダウンリンクを介する送信のためのシンボルを生成し、（例えば、アップリンクを介して）シンボルを受信し得る。そのように、送受信機１８は、アンテナ１５による送信のためにキャリア波形についての情報を変調し、装置１０の他の要素によってさらに処理するためにアンテナ１５を介して受信される情報を復調するように構成され得る。他の実施形態では、送受信機１８は、信号又はデータを直接送信及び受信可能であってもよい。
【００５０】
実施形態において、メモリ１４は、プロセッサ１２によって実行された場合に機能を提供するソフトウェアモジュールを記憶し得る。モジュールは、例えば、装置１０のためのオペレーティングシステムの機能を提供するオペレーティングシステムを含み得る。メモリはまた、装置１０のための追加的機能を提供するようにアプリケーション又はプログラムなどの１以上の機能モジュールも記憶し得る。装置１０の構成要素は、ハードウェアにおいて、又はハードウェア及びソフトウェアの任意の適切な組合せとして実施され得る。
【００５１】
特定の実施形態において、装置１０は、基地局、アクセスポイント、ＮｏｄｅＢ、ｅＮＢ、ｇＮＢ、又はＷＬＡＮアクセスポイントなどのようなネットワークノード又はＲＡＮノードであり得る。特定の実施形態によると、装置１０はメモリ１４及びプロセッサ１２によって制御されて、図１〜３に示すフロー図のようにここで説明する実施形態のいずれかに関連付けられた機能を実行し得る。
【００５２】
実施形態において、装置１０は、ＣＳＩ−ＲＳリソース又はリソースセット定義の一部として情報要素を定義してＴＲＳの目的のために使用されるＣＳＩ−ＲＳリソースをＵＥに示すように、メモリ１４及びプロセッサ１２によって制御され得る。例えば、一実施形態によると、装置１０はメモリ１４及びプロセッサ１２によって制御されて、例えば、ＲＲＣシグナリングを介して、１以上の情報要素を定義するＴＲＳ情報パラメータを定義し得る。一実施形態によると、ＴＲＳ情報パラメータは、｛‘ＯＮ／ＯＦＦ’｝するＴＲＳの目的のためにＣＳＩ−ＲＳリソースに関連付けられたブール値情報要素を含み得る第１の要素、ＣＳＩ−ＲＳリソースのＣＳＩ−セットＩＤ又は同期信号ブロック（ＳＳＢ）インデックス／リソースインジケータを含み得る第２の要素、及びこの特定のリソースＩＤ又はリソースセットＩＤで使用されるＣＳＩ−ＲＳ又はＳＳ−ブロックリソースに関連付けられたＣＳＩ−ＲＳリソースＩＤ又はリソースインジケータを含み得る第３の要素を含み得る。アンテナポート、及びソースリソースセット／リソース間のリソース要素構成は、そこでターゲットリソースセット及びリソースに合わせて並べられるものと黙示的に考えられ得る。
【００５３】
そして、一実施形態によると、装置１０はメモリ１４及びプロセッサ１２によって制御されて、上記で定義されたように、ＴＲＳ情報パラメータによりＵＥに送信され、又はＵＥを構成することができ、それによりＵＥは、異なるＣＳＩ−ＲＳリソースセット若しくはＳＳＢインデックス又はＳＳＢリソース若しくはＳＳＢリソースインジケータ内でこれらのリソースが他のＴＲＳの特定のリソースにどのようにリンクされるかの知識とともに、ＴＲＳの特定動作を対象とするＣＳＩ−ＲＳリソースセット内のＣＳＩ−ＲＳリソースを認識する。
【００５４】
特定の実施形態において、低減されたシグナリングオーバーヘッドによるＴＲＳ機能に対して複数の異なる参照信号及び／又は信号及び／又はＳＳＢリソースの併用使用を可能とするために、装置１０はまたメモリ１４及びプロセッサ１２によって制御されて、ＳＳＢリソースあり又はなしでのＣＳＩ−ＲＳリソースセット及び／又はリソースの異なる組合せを定義し、微細な時間−周波数ＴＲＳに対する送信フォーマットとして使用され、送信フォーマットとしての使用のために異なる組合せのＣＳＩ−ＲＳリソースセット及び／又はリソースにより送信又はＵＥを構成し得る。実施形態によると、送信フォーマットは、上記で詳細に説明したように、フォーマット０、フォーマット１、フォーマット２及び／又はフォーマット３を含み得る。例えば、フォーマット０は、周期的／半永続的／非周期的に構成されたＤＬビームマネジメント（ＢＭ）Ｐ１〜Ｐ３及び／又はＰ２のＣＳＩ−ＲＳリソースセット並びにリソースの併用使用のためのものであり得る。フォーマット１は、周期的／半永続的に構成されたＤＬビームマネジメントＰ１／Ｐ２のＣＳＩ−ＲＳリソース、及び第１の追加の周期的／半永続的に構成された１−アンテナポートのＣＳＩ−ＲＳリソースの併用使用のためのものであり得る。フォーマット２は、周期的／半永続的に構成されたＤＬビームマネジメントＰ１及び／又はＰ２のＣＳＩ−ＲＳリソース、並びに第１の追加の周期的／半永続的に構成された１−アンテナポートのＣＳＩ−ＲＳリソース及び／又は第２の追加の周期的／半永続的に構成された１−アンテナポートのＣＳＩ−ＲＳリソースの併用使用のためのものであり得る。フォーマット３は、周期的に送信されるＳＳＢリソース及び／又はＰ２のＣＳＩ−ＲＳリソース、並びに第１の追加の周期的／半永続的に構成された１−アンテナポートのＣＳＩ−ＲＳリソース及び／又は第２の追加の周期的／半永続的に構成された１−アンテナポートのＣＳＩ−ＲＳリソースの併用使用のためのものであり得る。
【００５５】
図４ｂは、他の実施形態による装置２０の例を示す。実施形態において、装置２０は、通信ネットワークにおけるノード又は要素であってもよいし、ＵＥ、モバイル機器（ＭＥ）、移動局、モバイルデバイス、固定式デバイス、ＩｏＴデバイス又は他のデバイスなどのそのようなネットワークに関連付けられてもよい。ここで説明するように、ＵＥは、代替的に、例えば、移動局、モバイル機器、モバイルユニット、モバイルデバイス、ユーザデバイス、加入者局、無線端末、タブレット、スマートフォン、ＩｏＴデバイス又はＮＢ−ＩｏＴデバイスなどと言われることもある。一例として、装置２０は、例えば、無線ハンドヘルドデバイス又は無線プラグインアクセサリなどにおいて実施され得る。
【００５６】
ある実施形態の例において、装置２０は、１以上のプロセッサ、１以上のコンピュータ可読記憶媒体（例えば、メモリ及びストレージなど）、１以上の無線アクセス構成要素（例えば、モデム及び送受信機など）及び／又はユーザインターフェースを含み得る。ある実施形態において、装置２０は、ＧＳＭ、ＬＴＥ、ＬＴＥ−Ａ、ＮＲ、５Ｇ、ＷＬＡＮ、ＷｉＦｉ、ＮＢ−ＩｏＴ、Ｂｌｕｅｔｏｏｔｈ、ＮＦＣ、ＭｕｌｔｅＦｉｒｅ及び他の任意の無線アクセステクノロジーなどの１以上の無線アクセステクノロジーを用いて動作するように構成され得る。なお、当業者であれば、装置２０が図４ｂに不図示の構成要素又は特徴を含んでいてもよいと理解することに留意すべきである。
【００５７】
図４ｂに示すように、装置２０は、情報を処理し、命令又は動作を実行するためのプロセッサ２２を含み又はそれに結合され得る。プロセッサ２２は、任意のタイプの一般的又は特定用途のプロセッサであり得る。実際に、プロセッサ２２は、例として、汎用性のコンピュータ、特殊用途のコンピュータ、マイクロプロセッサ、デジタルシグナルプロセッサ（ＤＳＰ）、フィールドプログラマブルゲートアレイ（ＦＰＧＡ）、特殊用途向け集積回路（ＡＳＩＣ）及びマルチコアプロセッサアーキテクチャによるプロセッサのうちの１以上を含み得る。図４ｂには単一のプロセッサ２２を示すが、他の実施形態により複数のプロセッサが利用されてもよい。例えば、特定の実施形態において、装置２０は、マルチプロセッシングをサポートし得るマルチプロセッサシステムを形成することができる２以上のプロセッサを含み得る（すなわち、この場合には、プロセッサ２２がマルチプロセッサを示す）ことが理解されるべきである。特定の実施形態において、マルチプロセッサシステムは、（例えば、コンピュータクラスタを形成するのに）強く結合されてもよいし弱く結合されてもよい。
【００５８】
プロセッサ２２は、限定することなく、アンテナゲイン／位相パラメータのプリコーディング、通信メッセージを形成する個々のビットの符号化及び復号化、情報のフォーマット化、並びに通信リソースの管理に関する処理を含む装置２０の全体制御を含み、装置２０の動作に関連付けられた機能を実行することができる。
【００５９】
装置２０は（内部又は外部の）メモリ２４をさらに含み又はそれに結合されてもよく、それは情報、及びプロセッサ２２によって実行され得る命令を記憶するためにプロセッサ２２に結合され得る。メモリ２４は、１以上のメモリであり、ローカルアプリケーション環境に適した任意のタイプのものであってもよく、半導体によるメモリデバイス、磁気メモリデバイス及びシステム、光メモリデバイス及びシステム、固定メモリ並びに取外し可能メモリなどの、任意の適切な揮発性又は不揮発性データストレージテクノロジーを用いて実施され得る。例えば、メモリ２４は、ランダムアクセスメモリ（ＲＡＭ）、読出し専用メモリ（ＲＯＭ）、磁気若しくは光ディスクなどのスタティックストレージ、又は他の任意のタイプの非一時的機械若しくはコンピュータ可読媒体の任意の組合せで構成可能である。メモリ２４に記憶された命令は、プロセッサ２２によって実行された場合に、装置２０がここで説明するようにタスクを実行可能とするプログラム命令又はコンピュータプログラムコードを含み得る。
【００６０】
実施形態において、装置２０は、光ディスク、ＵＳＢドライブ、フラッシュドライブ又は他の任意の記憶媒体などの、外部のコンピュータ可読記憶媒体を受け入れ及び読み出すように構成された（内部又は外部の）ドライブ又はポートをさらに含み又はそれに結合され得る。例えば、外部のコンピュータ可読記憶媒体は、プロセッサ２２及び／又は装置２０による実行のためのコンピュータプログラム又はソフトウェアを記憶し得る。
【００６１】
ある実施形態において、装置２０はまた、ダウンリンク信号を受信し、装置２０からアップリンクを介して送信するために、１以上のアンテナ２５も含み又はそれに結合され得る。装置２０は、情報を送信及び受信するように構成された送受信機２８をさらに含み得る。送受信機２８はまた、アンテナ２５に結合された無線インターフェース（例えば、モデム）も含み得る。無線インターフェースは、ＧＳＭ、ＬＴＥ、ＬＴＥ−Ａ、５Ｇ、ＮＲ、ＷＬＡＮ、ＮＢ−ＩｏＴ、Ｂｌｕｅｔｏｏｔｈ、ＢＴ−ＬＥ、ＮＦＣ、ＲＦＩＤ及びＵＷＢなどのうちの１以上を含む複数の無線アクセステクノロジーに対応し得る。無線インターフェースは、ダウンリンク又はアップリンクによって搬送されるＯＦＤＭＡシンボルなどのシンボルを処理するように、フィルタ、コンバータ（例えば、デジタル−アナログ変換器など）、シンボルデマッパー、信号成形コンポーネント及び逆高速フーリエ変換（ＩＦＦＴ）モジュールなどのような他の構成要素を含み得る。
【００６２】
例えば、送受信機２８は、アンテナ２５による送信のためにキャリア波形についての情報を変調し、装置２０の他の要素によってさらに処理するためにアンテナ２５を介して受信される情報を復調するように構成され得る。他の実施形態において、送受信機２８は、信号又はデータを直接送信及び受信可能であり得る。装置２０は、グラフィカルユーザインターフェース又はタッチスクリーンなどのユーザインターフェースをさらに含み得る。
【００６３】
実施形態において、メモリ２４は、プロセッサ２２によって実行された場合に機能を提供するソフトウェアモジュールを記憶する。モジュールは、例えば、装置２０のためのオペレーティングシステムの機能を提供するオペレーティングシステムを含み得る。メモリはまた、装置２０のための追加的機能を提供するようにアプリケーション又はプログラムなどの１以上の機能モジュールも記憶し得る。装置２０の構成要素は、ハードウェアにおいて、又はハードウェア及びソフトウェアの任意の適切な組み合わせとして実施され得る。実施形態によると、装置２０は、ＮＲなどの任意の無線アクセステクノロジーに従って、無線又は有線通信リンク７０を介して装置１０と通信するように構成され得る。
【００６４】
一実施形態によると、装置２０は、例えば、ＵＥ、モバイルデバイス、移動局、ＭＥ、ＩｏＴデバイス及び／又はＮＢ−ＩｏＴデバイスであり得る。特定の実施形態によると、装置２０は、メモリ２４及びプロセッサ２２によって制御されて、ここで説明する実施形態に関連付けられた機能を実行し得る。例えば、ある実施形態において、装置２０は、図１〜３に示すフロー図のようにここで説明するフローチャート又はシグナリング図のいずれかに示された処理のうちの１以上を実行するように構成され得る。
【００６５】
一実施形態によると、装置２０は、メモリ２４及びプロセッサ２２によって制御されて、ＴＲＳの目的のために使用される異なるＣＳＩ−ＲＳリソース及び／又はＳＳＢリソースの表示を、ＣＳＩ−ＲＳリソース又はリソースセット定義の一部としてネットワークから受信し得る。例えば、一実施形態によると、装置２０は、メモリ２４及びプロセッサ２２によって制御されて、例えば、ＲＲＣシグナリングを介して、１以上の情報要素を定義するＴＲＳ情報パラメータを受信し得る。一実施形態によると、ＴＲＳ情報パラメータは、｛‘ＯＮ／ＯＦＦ’｝するＴＲＳの目的のためにＣＳＩ−ＲＳリソースに関連付けられたブール値情報要素を含み得る第１の要素、ＣＳＩ−ＲＳリソースのＣＳＩ−セットＩＤ又は同期信号ブロック（ＳＳＢ）インデックスを含み得る第２の要素、及びこの特定のリソースＩＤ又はリソースセットＩＤで使用されるＣＳＩ−ＲＳ又はＳＳ−ブロックリソースに関連付けられたＣＳＩ−ＲＳリソースＩＤ又はリソースインジケータを含み得る第３の要素を含み得る。
【００６６】
実施形態において、ネットワークから受信される表示又はＴＲＳ情報パラメータに基づき、装置２０は、メモリ２４及びプロセッサ２２によって制御されて、ＴＲＳの目的のために異なるＣＳＩ−ＲＳリソース及び／又はＳＳＢリソースを併用して利用し得る。特定の実施形態によると、装置２０はまた、メモリ２４及びプロセッサ２２によって制御されて、微細な時間−周波数ＴＲＳに対する送信フォーマットとして使用されるＣＳＩ−ＲＳリソースセット及び／又はリソースの、ＳＳＢリソースあり又はなしでの異なる組合せの表示を受信し、送信フォーマットとしての使用のために異なる組合せのＣＳＩ−ＲＳリソースセット及び／又はリソースにより送信又はＵＥを構成し得る。実施形態によると、送信フォーマットは、上記で詳細に説明したように、フォーマット０、フォーマット１、フォーマット２及び／又はフォーマット３を含み得る。
【００６７】
図５ａは、実施形態の例による、フレキシブルで微細な時間−周波数ＴＲＳリソース構成のための方法のフロー図の例を示す。一実施形態において、方法は、例えば、基地局、ｅＮＢ、ｇＮＢ、中継ノード又はアクセスノードなどのネットワークノードによって実行され得る。実施形態において、図５ａの方法は、５００において、ＴＲＳの目的のために使用されるＣＳＩ−ＲＳリソース及び／又はＳＳＢリソースをＵＥに示すＣＳＩ−ＲＳリソース又はリソースセット定義の一部として情報要素を定義するステップを含み得る。例えば、一実施形態によると、定義するステップ５００は、例えば、ＲＲＣシグナリングを介して、１以上の情報要素を含むＴＲＳ情報パラメータを定義することを含み得る。一実施形態によると、ＴＲＳ情報パラメータは、｛‘ＯＮ／ＯＦＦ’｝するＴＲＳの目的のためにＣＳＩ−ＲＳリソースに関連付けられたブール値情報要素を含み得る第１の要素、ＣＳＩ−ＲＳリソースのＣＳＩ−セットＩＤ又は同期信号ブロック（ＳＳＢ）インデックス／リソースインジケータを含み得る第２の要素、及びこの特定のリソースＩＤ又はリソースセットＩＤで使用されるＣＳＩ−ＲＳ又はＳＳ−ブロックリソースに関連付けられたＣＳＩ−ＲＳリソースＩＤ又はリソースインジケータを含み得る第３の要素を含み得る。
【００６８】
一実施形態によると、方法はまた、５１０において、上記で定義されたように、情報要素及び／又はＴＲＳ情報パラメータによりＵＥに送信し及び／又はＵＥを構成するステップも含み得るものであり、それによりＵＥは、異なるＣＳＩ−ＲＳリソースセット又はＳＳＢインデックス若しくはＳＳＢリソース内でこれらのリソースが他のＴＲＳの特定のリソースにどのようにリンクされるかの知識とともに、ＴＲＳの特定動作を対象とするＣＳＩ−ＲＳリソースセット及び／又はＳＳＢリソース内のＣＳＩ−ＲＳリソースを認識する。
【００６９】
特定の実施形態において、低減されたシグナリングオーバーヘッドによるＴＲＳ機能に対して複数の異なる参照信号及び／又は信号の併用使用を可能とするために、方法はまた、ＳＳＢリソースあり又はなしでのＣＳＩ−ＲＳリソースセット及び／又はリソースの異なる組合せを定義して、微細な時間−周波数ＴＲＳに対する送信フォーマットとして使用されるステップ、送信フォーマットとしての使用のために異なる組合せのＣＳＩ−ＲＳリソースセット及び／又はリソースにより送信又はＵＥを構成するステップも含み得る。実施形態によると、送信フォーマットは、上記で詳細に説明したように、フォーマット０、フォーマット１、フォーマット２及び／又はフォーマット３を含み得る。
【００７０】
図５ｂは、実施形態の例による、フレキシブルで微細な時間−周波数ＴＲＳリソース構成のための方法のフロー図の例を示す。一実施形態において、図５ｂの方法は、例えば、ＵＥ又は移動局によって実行され得る。図５ｂの方法は、５５０において、ＴＲＳの目的のために使用される異なるＣＳＩ−ＲＳリソース及び／又はＳＳＢリソースの表示を、ＣＳＩ−ＲＳリソース又はリソースセット定義の一部としてネットワークから受信することを含み得る。例えば、一実施形態によると、受信すること５５０では、例えば、１以上の情報要素を定義するＲＲＣシグナリングを介して、ＴＲＳ情報パラメータを受信することを含み得る。一実施形態によると、ＴＲＳ情報パラメータは、｛‘ＯＮ／ＯＦＦ’｝するＴＲＳの目的のためにＣＳＩ−ＲＳリソースに関連付けられたブール値情報要素を含み得る第１の要素、ＣＳＩ−ＲＳリソースのＣＳＩ−セットＩＤ又は同期信号ブロック（ＳＳＢ）インデックスを含み得る第２の要素、及びこの特定のリソースＩＤ又はリソースセットＩＤで使用されるＣＳＩ−ＲＳ又はＳＳ−ブロックリソースに関連付けられたＣＳＩ−ＲＳリソースＩＤ又はリソースインジケータを含み得る第３の要素を含み得る。
【００７１】
実施形態において、ネットワークから受信される表示又はＴＲＳ情報パラメータに基づき、方法は、５６０において、ＴＲＳの目的のために、ネットワークによって示されるように、異なるＣＳＩ−ＲＳリソース及び／又はＳＳＢリソースを併用して利用することを含み得る。特定の実施形態によると、方法は、微細な時間−周波数ＴＲＳに対する送信フォーマットとして使用されるＣＳＩ−ＲＳリソースセット及び／又はリソースの、ＳＳＢリソースあり又はなしでの異なる組合せの表示を受信することをさらに含み得る。実施形態によると、送信フォーマットは、上記で詳細に説明したように、フォーマット０、フォーマット１、フォーマット２及び／又はフォーマット３を含み得る。
【００７２】
したがって、本発明の実施形態は、いくらかの技術的向上、強化及び／又は利点を提供する。例えば、特定の実施形態の結果として、ＳＳ−ブロックの可用性あり又はなしでの異なるシナリオにおいて、低下した周波数トラッキング参照信号の送信オーバーヘッドが取得され得る。６ＧＨｚ以上の通信に対して、異なるＣＳＩ−ＲＳベースのＤＬビームマネジメント手順Ｐ１〜Ｐ３が使用され得る。したがって、参照信号オーバーヘッドは、異なるダウンリンクＣＳＩ−ＲＳベースのビームマネジメント構成と、１つのアンテナポートＣＳＩ−ＲＳリソースとの間に結合を導入することによって低下され得る。Ｘ＝２、Ｎ＝２＋２、例えば、Ｓｆ＝４、Ｓｆ＝４を用いる代わりに、リソース構成Ｘ＝１が、低下した参照信号の送信オーバーヘッドをもたらし得る多数のシナリオにおいて使用されるように構成され得る。そのように、本発明の実施形態は、例えば、基地局／ｅＮＢ／ｇＮＢ、及びＵＥを含むネットワークノードの性能及びスループットを向上させることができる。それにより、本発明の実施形態の使用によって、通信ネットワーク及びそれらのノードの機能化が向上することになる。
【００７３】
ある実施形態において、ここで説明する方法、処理、シグナリング図又はフローチャートのいずれかの機能は、メモリ又は他のコンピュータ可読若しくは有形の媒体に記憶されたソフトウェア及び／又はコンピュータプログラムコード若しくはコードの一部によって実施され、プロセッサによって実行され得る。
【００７４】
一実施形態は、ＣＳＩ−ＲＳリソース又はリソースセット定義の一部として情報要素を定義して、ＴＲＳの目的のために使用されるＣＳＩ−ＲＳリソース及び／又はＳＳＢリソースをＵＥに示すことを含み得る方法を対象とする。方法はまた、ＵＥに情報要素を送信して、ＴＲＳの特定動作を対象とするＣＳＩ−ＲＳリソースセット内のＣＳＩ−ＲＳリソースを認識させることも含み得る。
【００７５】
他の実施形態は、少なくとも１つのプロセッサ、及びコンピュータプログラムコードを備える少なくとも１つのメモリを含む装置を対象とする。少なくとも１つのメモリ及びコンピュータプログラムコードは、少なくとも１つのプロセッサによって装置に少なくとも、ＣＳＩ−ＲＳリソース又はリソースセット定義の一部として情報要素を定義させて、ＴＲＳの目的のために使用されるＣＳＩ−ＲＳリソースをＵＥに示すように構成される。少なくとも１つのメモリ及びコンピュータプログラムコードはさらに、少なくとも１つのプロセッサによって装置に少なくとも、ＵＥに情報要素を送信させて、ＴＲＳの特定動作を対象とするＣＳＩ−ＲＳリソースセット及び／又はＳＳＢリソース内のＣＳＩ−ＲＳリソースを認識させるように構成され得る。
【００７６】
他の実施形態は、ＴＲＳの目的のために使用される異なるＣＳＩ−ＲＳリソースの表示を、ＣＳＩ−ＲＳリソース又はリソースセット定義の一部としてネットワークから受信することを含み得る方法を対象とする。方法はまた、ネットワークから受信される表示又はＴＲＳ情報パラメータに基づき、ＴＲＳの目的のために異なるＣＳＩ−ＲＳリソース及び／又はＳＳＢリソースを併用して利用することも含み得る。
【００７７】
他の実施形態は、少なくとも１つのプロセッサ、及びコンピュータプログラムコードを備える少なくとも１つのメモリを含む装置を対象とする。少なくとも１つのメモリ及びコンピュータプログラムコードは、少なくとも１つのプロセッサによって装置に少なくとも、ＴＲＳの目的のために使用される異なるＣＳＩ−ＲＳリソース及び／又はＳＳＢリソースの表示を、ＣＳＩ−ＲＳリソース又はリソースセット定義の一部としてネットワークから受信させるように構成される。少なくとも１つのメモリ及びコンピュータプログラムコードはまた、少なくとも１つのプロセッサによって装置に少なくとも、ネットワークから受信される表示又はＴＲＳ情報パラメータに基づき、ＴＲＳの目的のために異なるＣＳＩ−ＲＳリソースを併用して利用させるようにも構成され得る。
【００７８】
ある実施形態において、装置は、少なくとも１つの演算プロセッサによって実行される算術演算として又はプログラム若しくはその一部（追加又は更新されたソフトウェアルーチンを含む）として構成される少なくとも１つのソフトウェアアプリケーション、モジュール、ユニット又はエンティティを含み又はそれに関連付けられ得る。ソフトウェアルーチン、アプレット及びマクロを含むプログラムは、プログラム製品又はコンピュータプログラムとも呼ばれ、任意の装置可読データストレージ媒体に記憶され、特定のタスクを実行するプログラム命令を含み得る。
【００７９】
コンピュータプログラム製品は、プログラムが動作した場合に、実施形態を実行するように構成された１以上のコンピュータ実行可能構成要素を備え得る。１以上のコンピュータ実行可能構成要素は、少なくとも１つのソフトウェアコード又はその一部であり得る。実施形態の機能を実施するために必要とされる変形及び構成はルーチンとして実行されてもよく、それは、追加又は更新されたソフトウェアルーチンとして実施され得る。ソフトウェアルーチンは、装置にダウンロードされ得る。
【００８０】
ソフトウェア又はコンピュータプログラムコード若しくはその一部は、ソースコード形式、オブジェクトコード形式又はある中間形式のものであってもよく、それは、プログラムを搬送可能な任意のエンティティ又はデバイスであり得る何らかのキャリア、配布媒体又はコンピュータ可読媒体に記憶され得る。そのようなキャリアは、例えば、記録媒体、コンピュータメモリ、読出し専用メモリ、光電気及び／又は電気キャリア信号、電気通信信号並びにソフトウェア配布パッケージを含む。必要な処理パワーに応じて、コンピュータプログラムは、単一の電子デジタルコンピュータにおいて実行され、又はそれは多数のコンピュータの間で分散され得る。コンピュータ可読媒体又はコンピュータ可読記憶媒体は、非一時的媒体であり得る。
【００８１】
他の実施形態において、機能は、例えば、特定用途向け集積回路（ＡＳＩＣ）、プログラマブルゲートアレイ（ＰＧＡ）、フィールドプログラマブルゲートアレイ（ＦＰＧＡ）又はハードウェア及びソフトウェアの他の任意の組合せの使用を通じて、装置（例えば、装置１０又は装置２０）に含まれ得るハードウェア又は回路によって実行され得る。さらに他の実施形態において、機能は、信号や、インターネット又は他のネットワークからダウンロードされる電磁信号によって搬送され得る非有形手段として実施されることもある。
【００８２】
実施形態によると、ノード、デバイス又は対応する構成要素などの装置は、算術演算及び算術演算を実行するための演算プロセッサに使用される記憶能力を提供するために少なくともメモリを含む、回路、コンピュータ、又はシングルチップコンピュータ要素若しくはチップセットなどのマイクロプロセッサとして構成され得る。
【００８３】
当業者であれば、上記で説明したように本発明は、異なる順序のステップで、及び／又は開示されるものとは異なる構成におけるハードウェア要素で行われ得ることを直ちに理解するはずである。したがって、本発明はこれらの好適な実施形態に基づいて説明したが、本発明の主旨及び範囲内にとどめつつ、特定の変形、変更及び代替的な構造が当業者には明らかであることが分かる。
【図１】
2021503770.tif 000003
【図２】
2021503770.tif 000004
【図３】
2021503770.tif 000005
【図４】
2021503770.tif 000006
【図５ａ】
2021503770.tif 000007
【図５ｂ】
2021503770.tif 000008
【国際調査報告】
2021503770.tif 000009
2021503770.tif 000010
2021503770.tif 000011